(57)【特許請求の範囲】
【請求項１】
給電電極とアース電極とを有するライティングダクトに取り付けられる照明器具であって、
光源と、
前記光源を収容する灯具部と、
前記光源に電力を供給する電源回路と、
前記電源回路を収容する長尺の電源収容部と、
前記電源収容部の長手方向の一端部に取り付けられ、前記灯具部を支持する支持部とを備え、
前記電源収容部は、
前記電源回路と電気的に接続され、前記給電電極と接続される受電端子を有し、前記ライティングダクトに前記電源収容部を係止する第一係止部と、
前記第一係止部から、前記長手方向に離間して配置され、前記ライティングダクトに前記電源収容部を係止する第二係止部と、
前記第一係止部と前記第二係止部との間に配置され、前記アース電極と接続されるアース端子と、
前記アース端子と直接接続され、前記電源回路と電気的に接続される導電性の天板とを有する
照明器具。
【請求項２】
前記アース端子は、前記天板に交差する方向に突出し、前記アース電極に接続される導電性のアースピンを有する
請求項１に記載の照明器具。
【請求項３】
前記アースピンは、前記天板に交差する方向に突出する長さが可変である
請求項２に記載の照明器具。
【請求項４】
前記アース端子は、前記アースピンを支持する導電性の本体部を有し、
前記本体部は、前記アース電極に対向する面の周縁にテーパ部を有する
請求項２又は３に記載の照明器具。
【請求項５】
前記アース端子に対して、前記天板の前記アース端子が取り付けられる面に垂直な方向には、前記電源回路を構成する素子が配置されない
請求項１〜４のいずれか１項に記載の照明器具。
【請求項６】
前記アース端子から前記第一係止部までの距離は、前記アース端子から前記第二係止部までの距離より短い
請求項１〜５のいずれか１項に記載の照明器具。
【発明の詳細な説明】
【技術分野】
【０００１】
本発明は、ライティングダクトに取り付けられる照明器具に関する。
【背景技術】
【０００２】
従来の照明器具、例えばスポットライト用の照明器具は、内部に電源回路が収容された電源収容部と、一端部が電源収容部に取り付けられたアームと、アームの他端部に取り付けられ、かつ内部に光源を有する灯具部とを備えている（例えば、特許文献１）。
【０００３】
特許文献１に開示された照明器具では、天井等に設置されたライティングダクトに着脱自在に固定され、かつ、ライティングダクトから電力が供給される。また、特許文献１に開示された照明器具では、ライティングダクトの給電電極に接続される受電端子、及び、ライティングダクトのアース電極に接続されるアース端子が、電源収容部を係止する係止部に設けられている。これにより、ライティングダクトに電源収容部を係止し、かつ、受電端子及びアース端子をそれぞれ給電電極及びアース電極に接続することができる。
【先行技術文献】
【特許文献】
【０００４】
【特許文献１】特開２００６−２０２７１３号公報
【発明の概要】
【発明が解決しようとする課題】
【０００５】
しかしながら、特許文献１に開示された照明器具においては、アース端子が係止部に設けられているため、係止部の構造が複雑となる。また、アース端子と電源回路とを接続するための電線などが必要となる。
【０００６】
そこで、本発明は、アース電極を有するライティングダクトに取り付けられる照明器具であって、簡素化された構造で、アース端子をアース電極に確実に接続することができる照明器具を提供する。
【課題を解決するための手段】
【０００７】
上記課題を解決するために、本発明に係る照明器具の一態様は、  給電電極とアース電極とを有するライティングダクトに取り付けられる照明器具であって、光源と、前記光源を収容する灯具部と、前記光源に電力を供給する電源回路と、前記電源回路を収容する長尺の電源収容部と、前記電源収容部の長手方向の一端部に取り付けられ、前記灯具部を支持する支持部とを備え、前記電源収容部は、前記電源回路と電気的に接続され、前記給電電極と接続される受電端子を有し、前記ライティングダクトに前記電源収容部を係止する第一係止部と、前記第一係止部から、前記長手方向に離間して配置され、前記ライティングダクトに前記電源収容部を係止する第二係止部と、前記第一係止部と前記第二係止部との間に配置され、前記アース電極と接続されるアース端子と、前記アース端子と直接接続され、前記電源回路と電気的に接続される導電性の天板とを有する。
【発明の効果】
【０００８】
本発明によれば、アース電極を有するライティングダクトに取り付けられる照明器具であって、簡素化された構造で、アース端子をアース電極に確実に接続することができる照明器具を提供することができる。
【図面の簡単な説明】
【０００９】
【図１】図１は、実施の形態に係る照明器具の外観を示す斜視図である。
【図２】図２は、実施の形態に係る照明器具の断面図である。
【図３】図３は、実施の形態に係るアース端子の構成を示す断面図である。
【図４】図４は、実施の形態に係る照明器具が取り付けられるライティングダクトの構成を示す断面図である。
【図５】図５は、実施の形態に係る照明器具をライティングダクトへ取り付ける場合における照明器具の状態を示す斜視図である。
【図６Ａ】図６Ａは、実施の形態に係る照明器具がライティングダクトに適切に取り付けられた場合におけるアース端子の状態を示す断面図である。
【図６Ｂ】図６Ｂは、実施の形態に係る照明器具が第一係止部だけでライティングダクトに取り付けられた場合におけるアース端子の状態を示す断面図である。
【図７Ａ】図７Ａは、実施の形態に係るアース端子がライティングダクトに適切に挿入された場合におけるアース端子とライティングダクトとの位置関係を示す側面図である。
【図７Ｂ】図７Ｂは、実施の形態に係るアース端子がライティングダクトに対して傾いた状態で挿入された場合におけるアース端子とライティングダクトとの位置関係を示す側面図である。
【発明を実施するための形態】
【００１０】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態）
［１．構成］
まず、実施の形態に係る照明器具の構成について、図面を用いて説明する。
【００１３】
図１は、本実施の形態に係る照明器具１の外観を示す斜視図である。図２は、本実施の形態に係る照明器具１の断面図である。なお、各図においては、照明器具１の電源収容部２の長手方向をＺ軸方向、Ｚ軸方向に垂直で互いに直交する２つの方向をＸ軸方向及びＹ軸方向としている。本実施の形態において、Ｙ軸方向は、鉛直方向である。図２は、照明器具１のＹＺ平面に平行な断面を示している。
【００１４】
図１に示される照明器具１は、ライティングダクトに取り付けられる器具である。本実施の形態では、照明器具１は、スポットライト用の照明器具である。照明器具１は、図１及び図２に示されるように、灯具部４、電源収容部２及び支持部５を備える。また、図２に示されるように、照明器具１は、電源収容部２に収容された電源回路２９と、灯具部４に収容される光源３０とを備える。灯具部４は、光源３０を収容する部材であり、セード１０、本体１４０、反射部材４０、光学部材５０、光制御部材６０を備える。
【００１５】
以下、照明器具１の各構成要素について説明する。
【００１６】
［１−１．セード］
セード１０は、光源３０が内部に配置され、光源３０からの光を外部に出射する筒状部材である。セード１０は、図２に示されるように、側方開口部１３０を備える。側方開口部１３０は、セード１０の側面に設けられたスリット状の開口部であり、支持部５が配置される。
【００１７】
図２に示されるように、セード１０の内部には、光源３０に加えて、本体１４０、反射部材４０、光学部材５０、光制御部材６０などが配置される。
【００１８】
セード１０を形成する材料は、特に限定されない。セード１０は、例えば、アルミニウム合金などの金属材料で形成される。本実施の形態では、セード１０は、アルミニウム合金を用いてアルミダイカスト工程を経て形成される。
【００１９】
［１−２．本体］
本体１４０は、図２に示されるように、セード１０の内部に配置され、光源３０及び支持部５が取り付けられる部材である。本体１４０は、光源３０から発生した熱を放熱するヒートシンクとしても機能する。
【００２０】
図２に示されるように、本体１４０は、Ｚ軸方向正側（図２の左側）に、取付部１４１及び鍔部１４３を備える。取付部１４１は、光源３０が取り付けられる部分である。取付部１４１は、光源３０を取り付けるための平坦な面を含む。これにより、光源３０から発生する熱が効率よく本体１４０に伝導される。
【００２１】
鍔部１４３は、本体１４０をセード１０に取り付けるための部分である。本体１４０は、鍔部１４３において、ねじなどによって、セード１０に取り付けられる。また、図２に示されるように、本体１４０は、支持部５に取り付けられる。本実施の形態では、本体１４０は、支持部５に対して回転自在に取り付けられる。これにより、支持部５に対して、灯具部４の向き、つまり、照明器具１の光軸Ｊの向きを調整することができる。
【００２２】
本体１４０を形成する材料は、特に限定されない。本体１４０は、例えば、アルミニウム合金などの金属材料で形成される。本実施の形態では、本体１４０は、アルミニウム合金を用いてアルミダイカスト工程を経て形成される。
【００２３】
［１−３．支持部］
支持部５は、電源収容部２の長手方向の一端部に取り付けられ、灯具部４を支持する部材である。本実施の形態では、支持部５は、一方の端部において電源収容部２に取り付けられ、他方の端部において灯具部４の本体１４０に取り付けられる。支持部５は、長尺状の筒状部材であり、長手方向に挿通孔が形成されている。挿通孔には、電線９２が挿入され、電線９２によって電源回路２９から光源３０に電力が供給される。このように、電線９２を外部に露出させることなく支持部５の長手方向に沿って配置することができるため、電線９２が損傷することが抑制される。また、照明器具１の外部から電線９２が見えないため、デザイン的にも好ましい。
【００２４】
支持部５を形成する材料は、特に限定されない。支持部５は、例えば、アルミニウム合金などの金属材料で形成される。本実施の形態では、支持部５は、例えばアルミダイカスト工程を経て形成される。
【００２５】
［１−４．光源］
光源３０は、発光素子を有し、照明器具１の出射光となる光を出射する光源部である。本実施の形態では、光源３０は、発光素子としてＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。光源３０は、例えば白色光を出射するように構成されている。光源３０は、ＣＯＢ（Ｃｈｉｐ  Ｏｎ  Ｂｏａｒｄ）型ＬＥＤで構成され、基台と、基台上に実装されたベアチップ（ＬＥＤチップ）である複数のＬＥＤと、それらＬＥＤを封止し、蛍光体を含む封止部材とを備える。
【００２６】
光源３０は、本体１４０の取付部１４１に取り付けられる。各図に示される照明器具１において、光源３０の光軸ＪはＺ軸方向に平行である。
【００２７】
光源３０を構成する基台は、複数のＬＥＤを実装するための実装基板であって、例えばセラミックス基板、樹脂基板又は絶縁被覆されたメタルベース基板などである。また、基台は、例えば平面視において矩形である平面を有する板状であり、基台の底面（図２の右側面）が本体１４０の取付部１４１に取り付けられて固定される。なお、図示しないが、基台には、ＬＥＤを発光させるための直流電力を電線９２から受電するための一対の電極端子（正電極端子及び負電極端子）が形成されている。
【００２８】
［１−５．反射部材］
反射部材４０は、光源３０からの光の配光を制御する部材である。本実施の形態では、反射部材４０は、光源３０からの光を光学部材５０に向けて反射させる。反射部材４０は、光源３０の光軸Ｊが貫通する開口が形成された筒状の形状を有する。
【００２９】
反射部材４０の内径は、図２に示されるように、光源３０からの光が入射される側（図２の右側）の端部から、当該光が出射される側（図２の左側）の端部に向かって漸次大きくなるように構成されている。反射部材４０の内面において、光源３０からの光が反射される。
【００３０】
反射部材４０は、例えばポリブチレンテレフタレート（ＰＢＴ）など硬質の白色樹脂材料を用いて形成することができる。なお、反射部材４０の内面にアルミニウムなどの金属膜が設けられてもよい。
【００３１】
［１−６．光学部材］
光学部材５０は、反射部材４０からの光が入射する光入射面、及び、光入射面に入射した光を出射する光出射面を備える透光性の部材である。光学部材５０は、反射部材４０から出射した光の配光を制御する機能を有してもよい。本実施の形態では、光学部材５０はフレネルレンズである。これにより、照明器具１は、出射光を集光して、スポット状の照明領域を形成することができる。
【００３２】
光学部材５０は、透光性材料を用いて形成されており、例えばアクリル、ポリカーボネート（ＰＣ）などの透明樹脂材料、又は、ガラス材料などの透明材料を用いて形成することができる。
【００３３】
［１−７．光制御部材］
光制御部材６０は、図２に示されるようにセード１０の内部であって、光学部材５０の光出射面側に配置された筒状の部材である。
【００３４】
光制御部材６０は、光源３０の光軸Ｊの周囲に配置される。また、図２に示されるように、光制御部材６０の外径は、セード１０の開口部１２０側の内径と略等しい。これにより、セード１０の開口部１２０の出射光通過領域が光制御部材６０によって削減されることを抑制できる。また、セード１０と光制御部材６０との間からの出射光の漏れを抑制できる。
【００３５】
光制御部材６０は、セード１０の内面のうち、光学部材５０の光出射面近傍から、セード１０の開口部１２０の端部（図２の左側端部）近傍まで部分を覆う。ここで、光制御部材６０の内面は、黒色のグレア抑制面である。このように、セード１０の開口部１２０の端部近傍は、黒色のグレア抑制面である光制御部材６０の内面で覆われる。これにより、セード１０の開口部１２０の端部近傍におけるグレアが抑制される。
【００３６】
光制御部材６０の内面は、黒色のグレア抑制面であれば、特に限定されない。黒色のグレア抑制面は、例えば、黒色に塗装した面に艶消し処理を施すことにより実現できる。
【００３７】
光制御部材６０は、例えば、ＰＢＴ、ＰＣなどの樹脂材料を用いて形成することができる。
【００３８】
［１−８．電源回路］
電源回路２９は、光源３０に電力を供給する回路である。具体的には、電源回路２９は、商用電源等の外部電源からの交流電力を、整流、平滑及び降圧等して所定レベルの直流電力に変換する。電源回路２９で生成された直流電力は、図２に示される電線９２を介して光源３０に供給される。なお、図２では、電線９２の一部の図示が省略されている。
【００３９】
電源回路２９は、例えば、プリント回路基板などの回路基板２８と、回路基板２８に実装された複数の素子とを有する。回路基板２８に実装される素子は、光源３０を点灯させるための部品である。例えば、当該素子には、電解コンデンサやセラミックコンデンサ等の容量素子、抵抗器等の抵抗素子、整流回路素子、コイル素子、チョークコイル（チョークトランス）、ノイズフィルタ、ダイオード又は集積回路素子などの半導体素子などが含まれる。なお、電源回路２９には、調光回路や昇圧回路などが組み合わされていてもよい。
【００４０】
［１−９．電源収容部］
電源収容部２は、電源回路２９を収容する長尺の筐体である。また、電源収容部２は、照明器具１をライティングダクトに係止する機能、及び、ライティングダクトから電力を受電する機能も有する。また電源収容部２の長手方向の一端部には、支持部５が取り付けられる。
【００４１】
図１及び図２に示されるように、電源収容部２は、容器部２６と、天板２７と、第一係止部２１と、第二係止部２２と、アース端子２４とを有する。
【００４２】
［１−９−１．容器部］
容器部２６は、内部に、電源回路２９を収容するための空間を有する有底筒状の容器である。容器部２６のライティングダクトに対向する開口部（図２の上側の開口部）の少なくとも一部は天板２７で塞がれる。このように、容器部２６と天板２７とで筐体が形成される。
【００４３】
容器部２６を形成する材料は、特に限定されない。容器部２６は、例えば、金属又は樹脂などを主要材料として含む。本実施の形態では、容器部２６は、アルミニウムを主要材料として含む。
【００４４】
［１−９−２．天板］
天板２７は、アース端子２４と直接接続され、電源回路２９と電気的に接続される導電性の板状部材である。天板２７は、容器部２６の開口部に配置される。天板２７には、アース端子２４が取り付けられ、アース端子２４の導電性の部分と直接接続される。つまり、天板２７は、電線などを介することなくアース端子２４の導電性の部分と接続される。これにより、アース端子２４がライティングダクトのアース電極と接続された場合に、天板２７は接地される。天板２７は、上述のとおり電源回路２９と電気的に接続されており、電源回路２９に接地電位を与える。
【００４５】
天板２７は、照明器具１がライティングダクトに取り付けられる際には、ライティングダクトに対向する位置に配置され、天板２７に取り付けられたアース端子２４がライティングダクトの開口部に挿入される。これにより、アース端子２４は、ライティングダクトの内部に配置されたアース電極と接続される。また、本実施の形態では、天板２７には、第二係止部２２が取り付けられる。
【００４６】
天板２７を形成する材料は、導電性であれば特に限定されない。天板２７は、例えば、鉄などの金属材料で形成される。
【００４７】
［１−９−３．第一係止部］
第一係止部２１は、電源回路２９と電気的に接続され、ライティングダクトの給電電極と接続される受電端子２１３ａ及び２１３ｂを有し、ライティングダクトに電源収容部２を係止する係止部材である。受電端子２１３ａ及び２１３ｂによって受電された交流電力は、電線（不図示）などを介して電源回路２９に送られる。
【００４８】
本実施の形態では、第一係止部２１は、電源収容部２の長手方向の一端部であって、ライティングダクトに対向する位置に配置される。第一係止部２１は、図１に示されるように、受電端子２１３ａ及び２１３ｂに加えて、第一係止板２１２と、第一レバー２１１とを有する。
【００４９】
受電端子２１３ａ及び２１３ｂは、ライティングダクトから電力を受ける端子である。受電端子２１３ａ及び２１３ｂは、容器部２６に対してＹ軸方向に平行な回転軸を中心として回転自在に設けられる。受電端子２１３ａ及び２１３ｂをライティングダクトの溝部において回転軸を中心として約９０度回転させることによって、受電端子２１３ａ及び２１３ｂをライティングダクト内の給電電極に接続できる。受電端子２１３ａ及び２１３ｂは、各図のＹ軸に平行な回転軸と直交する方向に延びる板状端子であり、第一レバー２１１と連動して、当該回転軸を中心に約９０度の回転角の範囲にわたって回転自在である。
【００５０】
受電端子２１３ａ及び２１３ｂを形成する材料は、導電性材料であれば特に限定されない。受電端子２１３ａ及び２１３ｂは、例えば、銅などで形成されてもよい。
【００５１】
第一係止板２１２は、容器部２６に対して各図のＹ軸方向に平行な回転軸を中心として回転自在に設けられる。第一係止板２１２をライティングダクトの溝部において回転軸を中心として約９０度回転させることによって、第一係止板２１２をライティングダクトに係止できる。本実施の形態では、第一係止板２１２は、長方形状の主面を有する板状部材である。第一係止板２１２は、第一レバー２１１と連動して、回転軸を中心に約９０度の回転角の範囲にわたって回転自在である。本実施の形態では、第一係止板２１２は、ライティングダクトの溝部において係止される。これにより、照明器具１をライティングダクトに係止することができる。また、第一係止板２１２がライティングダクトの溝部において係止されることにより、第一係止部２１のライティングダクトに対する位置及び角度が安定化されるため、受電端子２１３ａ及び２１３ｂをライティングダクトの給電電極に安定的に接続することができる。
【００５２】
第一係止板２１２を形成する材料は、特に限定されない。第一係止板２１２は、例えば、ＰＣなどの樹脂材料で形成されてもよい。
【００５３】
第一レバー２１１は、受電端子２１３ａ及び２１３ｂと、第一係止板２１２とを、容器部２６に対して、各部のＹ軸に平行な回転軸を中心に回転させるためのレバーである。本実施の形態では、第一レバー２１１を、当該回転軸を中心に約９０度の回転角の範囲にわたって回転させることができる。また、第一レバー２１１は、受電端子２１３ａ及び２１３ｂ、並びに、第一係止板２１２と、当該回転軸を中心に一体的に回転するように形成されている。第一レバー２１１は、例えば、第一係止板２１２と一体的に形成されていてもよい。
【００５４】
第一レバー２１１を形成する材料は、特に限定されない。第一レバー２１１は、例えば、ＰＣなどの樹脂材料で形成されてもよい。
【００５５】
［１−９−４．第二係止部］
第二係止部２２は、第一係止部２１から、電源収容部２の長手方向（各図のＺ軸方向）に離間して配置され、ライティングダクトに電源収容部２を係止する係止部材である。
【００５６】
本実施の形態では、第二係止部２２は、電源収容部２の長手方向中央付近であって、ライティングダクトに対向する位置に配置される。なお、第二係止部２２の電源収容部２の長手方向における配置位置は、第一係止部２１から、電源収容部２の長手方向に離間した位置であればよく、電源収容部２の長手方向の中央付近に限定されない。第二係止部２２は、図１に示されるように、第二係止板２２２と、第二レバー２２１とを有する。
【００５７】
第二係止板２２２は、容器部２６に対して各図のＹ軸方向に平行な回転軸を中心として回転自在に設けられる。第二係止板２２２をライティングダクトの溝部において回転軸を中心として約９０度回転させることによって、第二係止板２２２をライティングダクトに係止できる。本実施の形態では、第二係止板２２２は、第一係止板２１２と同様に、長方形状の主面を有する板状部材である。第二係止板２２２は、第二レバー２２１と連動して、回転軸を中心に約９０度の回転角の範囲にわたって回転自在である。本実施の形態では、第二係止板２２２は、ライティングダクトの溝部において係止される。これにより、照明器具１をライティングダクトに係止することができる。
【００５８】
第二係止板２２２を形成する材料は、特に限定されない。第二係止板２２２は、例えば、ＰＣなどの樹脂材料で形成されてもよい。
【００５９】
第二レバー２２１は、第二係止板２２２を、容器部２６に対して、各部のＹ軸に平行な回転軸を中心に回転させるためのレバーである。本実施の形態では、第二レバー２２１を、当該回転軸を中心に約９０度の回転角の範囲にわたって回転させることができる。また、第二レバー２２１は、第二係止板２２２と、当該回転軸を中心に一体的に回転するように形成されている。第二レバー２２１は、例えば、第二係止板２２２と一体的に形成されていてもよい。
【００６０】
第二レバー２２１を形成する材料は、特に限定されない。第二レバー２２１は、例えば、アルミニウムなどの金属材料を主要材料として含む。
【００６１】
図１及び図２に示されるように、第二係止板２２２及び第二レバー２２１は、Ｙ軸方向に平行な回転軸を有するねじ２２３によって天板２７に取り付けられる。これにより、第二係止板２２２及び第二レバー２２１は、容器部２６に対してねじ２２３の回転軸を中心として回転自在に取り付けられる。
【００６２】
［１−９−５．アース端子］
アース端子２４は、第一係止部２１と第二係止部２２との間に配置され、ライティングダクトのアース電極と接続される端子である。このように、アース端子２４が第一係止部２１と第二係止部２２との間に配置されているため、第一係止部２１にアース端子２４を設ける必要がない。これにより、照明器具１では第一係止部２１の構造を簡素化できる。本実施の形態では、アース端子２４は、天板２７に固定され、かつ、電線などを介することなく直接電気的に接続される。このように、アース端子２４が、電源回路２９と電気的に接続される導電性の天板２７と直接接続されるため、アース端子２４と天板２７とを電線などを用いて接続する必要がない。したがって、照明器具１では、アース端子２４と電源回路２９との間の接続構成を簡素化できる。
【００６３】
以下、アース端子２４の詳細構成について、図面を用いて説明する。
【００６４】
図３は、本実施の形態に係るアース端子２４の構成を示す断面図である。図３においては、アース端子２４の中央部を通り、ＹＺ平面に平行な面における断面図が示されている。
【００６５】
図３に示されるように、アース端子２４は、天板２７に交差する方向に突出し、アース電極に接続される導電性のアースピン２４５と、アースピン２４５を支持する導電性の本体部２４０とを備える。アース端子２４は、さらに、アースピン２４５を本体部２４０から突出する方向に付勢する導電性のつるまきばね２４４を有する。
【００６６】
アースピン２４５は、図３のＹ軸方向に平行な方向に延びる円柱状の形状を有し、先端部２４６と、先端部２４６より径の大きい大径部２４７と、大径部２４７より径の小さい後端部２４８とを有する。
【００６７】
本体部２４０は、図３のＹ軸方向に平行な方向に延びる貫通孔２４１が形成された円筒状の形状を有し、貫通孔２４１にアースピン２４５が挿入される。また、貫通孔２４１の内面の少なくとも天板２７側（図３の下側）の部分には、ねじ山が形成されている。貫通孔２４１に、天板２７の貫通孔を介して導電性のねじ２４９が捻じ込まれることによって、本体部２４０が天板２７に固定される。
【００６８】
貫通孔２４１の天板２７と反対側（図３の上側）の端部は、アースピン２４５の先端部２４６の径より大きく、大径部２４７の径より小さい径に、縮径されている。これにより、大径部２４７と貫通孔２４１の端部とが干渉するため、アースピン２４５が貫通孔２４１の端部から抜け出ることを抑制できる。
【００６９】
また、本体部２４０は、ライティングダクトに対向する面２４３の周縁にテーパ部２４２を有する。テーパ部２４２については、後述する。
【００７０】
つるまきばね２４４は、導電性を有するコイル状の弾性部材である。
【００７１】
アースピン２４５の大径部２４７とねじ２４９との間には、つるまきばね２４４が自然長より短くなるようにＹ軸方向に押圧された状態で配置されている。これにより、つるまきばね２４４がアースピン２４５を本体部２４０から突出する向き（図３の上向き）に付勢する。このような構成により、アースピン２４５は、天板２７に交差する方向に突出する長さが可変となる。
【００７２】
アース端子２４のアースピン２４５を形成する材料は、導電性であれば特に限定されない。アースピン２４５は、例えば、黄銅などの金属材料で形成される。
【００７３】
本体部２４０を形成する材料は、特に限定されないが、本体部２４０は導電性材料で形成されてもよい。本体部２４０を導電性材料で形成することにより、アース端子２４と天板２７とをより確実に導通させることができる。本体部２４０は、例えば、黄銅などの金属材料で形成される。
【００７４】
ねじ２４９を形成する材料は、導電性であれば特に限定されない。ねじ２４９は、例えば、黄銅などの金属材料で形成される。
【００７５】
つるまきばね２４４を形成する材料は、導電性であれば特に限定されない。つるまきばね２４４は、例えば、鉄などの金属材料で形成される。
【００７６】
以上のようにアース端子２４のアースピン２４５、つるまきばね２４４及びねじ２４９が導電性であることにより、アースピン２４５がライティングダクトのアース電極に接続された場合に、つるまきばね２４４及びねじ２４９を介して天板２７を接地電位に維持することができる。このように、本実施の形態では、アース端子２４と天板２７とを、電線などを介することなく直接電気的に接続することができる。さらに、本実施の形態では、本体部２４０が導電性を有することにより、天板２７をより確実に接地電位に維持することができる。
【００７７】
［２．ライティングダクト］
本実施の形態に係る照明器具１が取り付けられるライティングダクトについて、図面を用いて説明する。
【００７８】
図４は、本実施の形態に係る照明器具１が取り付けられるライティングダクト７の構成を示す断面図である。図４は、ライティングダクト７の長手方向（図４のＺ軸方向）に垂直な断面を示す斜視図である。
【００７９】
ライティングダクト７は、図４に示されるように、ライティングダクト７の長手方向に沿って形成されたダクト開口部７２３を有する。ライティングダクト７のダクト開口部７２３の内部には、溝部７３０が形成されている。照明器具１の第一係止部２１、第二係止部２２及びアース端子２４は、ダクト開口部７２３を介して、溝部７３０に挿入される。
【００８０】
図４に示されるように、ライティングダクト７は、ダクト本体７０と、ダクト本体７０に保持された二つの給電電極７２と、アース電極７３とを有する。
【００８１】
ダクト本体７０は、矩形筒状の部材である。より正確には、断面が矩形のＣ字状の部材である。ダクト本体７０は、絶縁部材７１で覆われており、二つの内鍔部７１２を有する。また、絶縁部材７１は、二つの凸部７１３と、突起部７４０とを有する。
【００８２】
ダクト本体７０は、例えば、アルミニウムなどの金属で形成される。
【００８３】
絶縁部材７１は、例えば、樹脂などの絶縁材料で形成される。
【００８４】
内鍔部７１２は、ライティングダクト７のＹ軸方向負側端部（図４の下端部）に形成された鍔状部分である。二つの内鍔部７１２の間にダクト開口部７２３が形成されている。
【００８５】
凸部７１３は、ダクト本体７０のＸ軸方向（図４の左右方向）に対向する二つの内面のＹ軸方向（図４の上下方向）中央部に立設された部分である。
【００８６】
二つの凸部７１３の各先端には、凹部７１４が設けられている。二つの給電電極７２は、それぞれ、二つの凹部７１４内に保持されている。
【００８７】
二つの給電電極７２は、照明器具１に交流電力を供給するための電極対である。給電電極７２は、例えば、銅などの導電性材料で形成される。
【００８８】
アース電極７３は、照明器具１に接地電位を供給するための電極である。アース電極７３は、例えば、銅などの導電性材料で形成される。
【００８９】
突起部７４０は、Ｘ軸方向（図４の左右方向）の一方の端部だけに形成された照明器具１向きに突出する部分である。突起部７４０の位置によって、二つの給電電極７２のうち、どちらがＬ端子であり、どちらがＮ端子であるかを見分けることができる。つまり、突起部７４０によって、照明器具１をライティングダクト７に対して正しい向きに取り付けることができる。また、照明器具１をライティングダクト７に対して誤った向きに取り付ける場合に、突起部７４０と照明器具１とを干渉させることによって、照明器具１をライティングダクト７に取り付けられないように照明器具１を形成してもよい。
【００９０】
以上のような構成を有するライティングダクト７に、照明器具１が取り付けられる。
【００９１】
［３．照明器具のライティングダクトへの取付方法］
照明器具１のライティングダクト７への取り付け方法について、図面を用いて説明する。
【００９２】
図５は、本実施の形態に係る照明器具１をライティングダクト７へ取り付ける場合における照明器具１の状態を示す斜視図である。
【００９３】
本実施の形態に係る照明器具１をライティングダクト７に取り付ける場合には、まず、図１に示されるように、第一係止板２１２及び第二係止板２２２の長手方向が、電源収容部２の長手方向と略一致する状態とする。この状態において、第一係止部２１及び第二係止部２２並びにアース端子２４をライティングダクト７のダクト開口部７２３から溝部７３０に挿入する。ここで、第一係止板２１２及び第二係止板２２２が、ライティングダクト７の内鍔部７１２よりライティングダクト７の内側に位置するように配置する。
【００９４】
続いて、図５において、矢印で示される向きに、第一レバー２１１及び第二レバー２２１を回転させることによって、第一係止板２１２及び第二係止板２２２の長手方向が、電源収容部２の長手方向と略直交する状態とする。これに伴い、第一係止板２１２及び第二係止板２２２が照明器具１の第一係止板２１２及び第二係止板２２２が、ライティングダクト７の内鍔部７１２と凸部７１３との間に挿入される。これにより、第一係止板２１２及び第二係止板２２２がライティングダクト７に係止される。また、照明器具１の受電端子２１３ａ及び２１３ｂが、ライティングダクト７の二つの給電電極７２に接続されることによって、照明器具１はライティングダクト７から受電できる状態となる。
【００９５】
［４．アース端子の効果］
本実施の形態に係る照明器具１のアース端子２４の効果について図面を用いて説明する。
【００９６】
図６Ａは、本実施の形態に係る照明器具１がライティングダクト７に適切に取り付けられた場合におけるアース端子２４の状態を示す断面図である。図６Ｂは、本実施の形態に係る照明器具１が第一係止部２１だけでライティングダクト７に取り付けられた場合におけるアース端子２４の状態を示す断面図である。図６Ａ及び図６Ｂにおいては、照明器具１の電源収容部２の長手方向に平行で、かつ、天板２７に垂直な平面による断面図が示されている。また、ライティングダクト７のアース電極７３の照明器具１側の端面の位置が破線Ｌ７３で示され、内鍔部７１２の内側面の位置が破線Ｌ７１２で示されている。
【００９７】
本実施の形態に係る照明器具１では、アース端子２４は、天板２７に交差する方向に突出し、アース電極７３に接続される導電性のアースピン２４５を有する。これにより、例えば、図４に示されるように、ライティングダクト７のアース電極７３が絶縁部材７１によって形成された凹部内に配置されている場合においても、アース端子２４をアース電極７３に確実に接続できる。
【００９８】
また、図６Ａに示されるように、本実施の形態に係る照明器具１がライティングダクト７に適切に取り付けられた場合には、アースピン２４５がアース電極７３によって照明器具１向き（図６Ａの下向き）に押されて、アースピン２４５の突出長さが短縮される。これにより、アースピン２４５がアース電極７３を押圧する状態を維持できるため、アースピン２４５とアース電極７３とを確実に接続できる。
【００９９】
照明器具１のように、第一係止部２１及び第二係止部２２を備える場合には、誤って、第一係止部２１及び第二係止部２２の一方だけで照明器具１をライティングダクト７に係止することがあり得る。例えば、第二係止部２２だけで照明器具１をライティングダクト７に係止する場合には、受電端子２１３ａ及び２１３ｂが二つの給電電極７２に接続されず、照明器具１が点灯しない。そのため、ユーザは第一係止部２１の係止操作をしていないことに気付き易い。しかしながら、図６Ｂに示されるように、第一係止部２１だけで照明器具１をライティングダクト７に係止する場合には、照明器具１が点灯するため、ユーザは、第二係止部２２を操作していないことに気付き難い。そのため、第二係止部２２の係止操作をしていない状態で、照明器具１の使用を続ける場合があり得る。その場合、図６Ｂに示されるように、電源収容部２に加わる重力によって、電源収容部２が傾き得る。つまり、第二係止部２２が、第一係止部２１より低い位置に配置され得る。本実施の形態に係る照明器具１のように、第一係止部２１とアース端子２４とを離間して設ける場合、電源収容部２が傾くことに伴って、アース端子２４がライティングダクト７のアース電極７３から離れることがあり得る。しかしながら、本実施の形態に係る照明器具１では、アース端子２４は、第二係止部２２より第一係止部２１に近い位置に配置されている。このため、電源収容部２が第二係止部２２によって係止されないことに起因して、水平方向に配置されたライティングダクト７に対して電源収容部２が傾いて係止される場合においても、アース端子２４がライティングダクト７のアース電極７３から離れることを抑制できる。
【０１００】
さらに、本実施の形態では、アース端子２４から第一係止部２１までの距離は、アース端子２４から第二係止部２２までの距離より短い。これにより、アース端子２４から第一係止部２１までの距離がより一層低減される。このため、アース端子２４がライティングダクト７のアース電極７３から離れることをより一層抑制できる。
【０１０１】
また、上述のように、アースピン２４５は、天板２７に交差する方向に突出する長さが可変である。これにより、図６Ａ及び図６Ｂに示されるように、天板２７とアース電極７３との間の距離が変化する場合においても、アースピン２４５がアース電極７３に接続された状態を維持できる。
【０１０２】
また、図６Ａに示されるように、本実施の形態に係る照明器具１では、アース端子２４に対して、天板２７のアース端子２４が取り付けられる面に垂直な方向には、電源回路２９を構成する素子が配置されない。これにより、アース端子２４と、電源回路２９を構成する素子との間で放電が発生することを抑制できる。さらに放電の発生を抑制するために、アース端子２４と電源回路２９を構成する素子との間の距離を所定値以上としてもよい。当該所定値は、例えば、５ｍｍ程度でもよい。
【０１０３】
続いて、本実施の形態に係る照明器具１のアース端子２４の本体部２４０に形成されたテーパ部２４２他の効果について図面を用いて説明する。
【０１０４】
図７Ａは、本実施の形態に係るアース端子２４がライティングダクト７に適切に挿入された場合におけるアース端子２４とライティングダクト７との位置関係を示す側面図である。図７Ｂは、本実施の形態に係るアース端子２４がライティングダクト７に対して傾いた状態で挿入された場合におけるアース端子２４とライティングダクト７との位置関係を示す側面図である。
【０１０５】
図７Ａに示されるように、アース端子２４がライティングダクト７に適切に挿入された場合、アース端子２４の導電性の本体部２４０が給電電極７２に接近することは抑制される。一方、図７Ｂに示されるように、アース端子２４がライティングダクト７に対して傾いた状態で挿入された場合、図７Ａに示される場合より、本体部２４０が給電電極７２に接近する。ここで、本実施の形態では、本体部２４０が導電性を有するため、アース端子２４と給電電極７２とが接近することによって、アース端子２４と給電電極７２との間で放電が発生することがあり得る。さらに、本体部２４０が給電電極７２に接触した場合には、照明器具１を取り付けているユーザが感電するおそれがある。しかしながら、本実施の形態に係るアース端子２４の本体部２４０は、アース電極７３に対向する面２４３の周縁にテーパ部２４２を有する。これにより、本実施の形態では、テーパ部２４２がない場合より、アース端子２４と給電電極７２とが接触することを抑制できる。なお、図７Ｂのテーパ部２４２付近に示された点線が、テーパ部２４２がない場合における本体部２４０の一例の輪郭を示す。また、本体部２４０がテーパ部２４２を有することによりアース端子２４と給電電極７２とが接近することによって、アース端子２４と給電電極７２との間で放電が発生することも抑制できる。
【０１０６】
［５．まとめ］
以上のように、本実施の形態に係る照明器具１は、給電電極７２とアース電極７３とを有するライティングダクト７に取り付けられる照明器具１であって、光源３０と、光源３０を収容する灯具部４と、光源３０に電力を供給する電源回路２９と、電源回路２９を収容する長尺の電源収容部２と、電源収容部２の長手方向の一端部に取り付けられ、灯具部４を支持する支持部５とを備える。電源収容部２は、電源回路２９と電気的に接続され給電電極７２と接続される受電端子２１３ａ及び２１３ｂを有し、ライティングダクト７に電源収容部２を係止する第一係止部２１を有する。電源収容部２は、さらに、第一係止部２１から、長手方向に離間して配置され、ライティングダクト７に電源収容部２を係止する第二係止部２２を有する。電源収容部２は、さらに、第一係止部２１と第二係止部２２との間に配置され、アース電極７３と接続されるアース端子２４と、アース端子２４と直接接続され、電源回路２９と電気的に接続される導電性の天板２７とを有する。
【０１０７】
このように、照明器具１では、アース端子２４が第一係止部２１と第二係止部２２との間に配置されているため、第一係止部２１にアース端子２４を設ける必要がない。これにより、照明器具１では第一係止部２１の構造を簡素化できる。また、電源収容部２が水平方向に配置されたライティングダクト７に、第一係止部２１だけによって係止される場合（つまり、第二係止部２２によって係止されない場合）においては、電源収容部２に加わる重力によって、電源収容部２が傾き得る。つまり、第二係止部２２が、第一係止部２１より低い位置に配置され得る。このような場合においても、アース端子２４は、第二係止部２２より第一係止部２１に近い位置に配置されているため、アース端子２４がライティングダクト７のアース電極７３から離れることを抑制できる。さらに、照明器具１では、アース端子２４が、電源回路２９と電気的に接続される導電性の天板２７と直接接続されるため、アース端子２４と天板２７とを電線などを用いて接続する必要がない。このように、照明器具１では、アース端子２４と電源回路２９との間の接続構成を簡素化できる。
【０１０８】
また、照明器具１において、アース端子２４は、天板２７に交差する方向に突出し、アース電極７３に接続される導電性のアースピン２４５を有する。
【０１０９】
これにより、例えば、図４に示されるように、ライティングダクト７のアース電極７３が絶縁部材７１によって形成された凹部内に配置されている場合においても、アースピン２４５がアース電極７３に確実に接続される。
【０１１０】
また、照明器具１において、アースピン２４５は、天板２７に交差する方向に突出する長さが可変である。
【０１１１】
これにより、天板２７とアース電極７３との間の距離が変化する場合においても、アースピン２４５がアース電極７３に接続された状態を維持できる。
【０１１２】
また、照明器具１において、アース端子２４は、アースピン２４５を支持する導電性の本体部２４０を有し、本体部２４０は、アース電極７３に対向する面２４３の周縁にテーパ部２４２を有する。
【０１１３】
これにより、アース端子２４と給電電極７２とが接触することを抑制できる。さらに、アース端子２４と給電電極７２とが接近することによって、アース端子２４と給電電極７２との間で放電が発生することも抑制できる。
【０１１４】
また、照明器具１において、アース端子２４に対して、天板２７のアース端子２４が取り付けられる面に垂直な方向には、電源回路２９を構成する素子が配置されない。
【０１１５】
これにより、アース端子２４と、電源回路２９を構成する素子との間で放電が発生することを抑制できる。
【０１１６】
また、照明器具１において、アース端子２４から第一係止部２１までの距離は、アース端子２４から第二係止部２２までの距離より短い。
【０１１７】
これにより、アース端子２４から第一係止部２１までの距離がより一層低減される。このため、電源収容部２が第二係止部２２によって係止されないことに起因して、水平方向に配置されたライティングダクト７に対して電源収容部２が傾いて係止される場合においても、アース端子２４がライティングダクト７のアース電極７３から離れることを抑制できる。
【０１１８】
（変形例など）
以上、本発明に係る照明器具１について、実施の形態に基づいて説明したが、本発明は、上記実施の形態に限定されるものではない。
【０１１９】
例えば、実施の形態では、照明器具１は、スポットライト用の照明器具であったが、スポットライト用でなくてもよい。ライティングダクト７に取り付けられる照明器具であればよい。
【０１２０】
また、実施の形態では、アースピン２４５の天板２７に交差する方向に突出する長さが可変であったが、当該長さは固定されていてもよい。
【０１２１】
また、実施の形態では、アース端子２４の本体部２４０にテーパ部２４２が形成されていたが、テーパ部２４２は形成されていなくてもよい。
【０１２２】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１２３】
１  照明器具
２  電源収容部
４  灯具部
５  支持部
７  ライティングダクト
２１  第一係止部
２２  第二係止部
２４  アース端子
２７  天板
２９  電源回路
３０  光源
７２  給電電極
７３  アース電極
２１３ａ、２１３ｂ  受電端子
２４０  本体部
２４２  テーパ部
２４３  面
２４５  アースピン
【図１】
0006706816.tif 000002
【図２】
0006706816.tif 000003
【図３】
0006706816.tif 000004
【図４】
0006706816.tif 000005
【図５】
0006706816.tif 000006
【図６Ａ】
0006706816.tif 000007
【図６Ｂ】
0006706816.tif 000008
【図７Ａ】
0006706816.tif 000009
【図７Ｂ】
0006706816.tif 000010